(57)【要約】【課題】立体的視覚効果のある印刷物の印刷版作成用データを短時間でかつ容易に得ることができる方法及び装置を提供することをその課題とする。【解決手段】ＤＴＰ処理用パソコン１で作成された印刷用データ３は２値化処理用パソコン２の振り分け手段２ａにて、画像部３ａと背景部３ｂとに区別される。次に２値化処理手段２ｂ、２ｃにより、それぞれ２値データとしての画像部４ａ、背景部４ｂに処理される。このとき、２値化処理手段２ｂ、２ｃは各々異なる線数にて画像部、背景部を２値化処理する。２値データとなった画像部４ａ、背景部４ｂは、合成手段２ｄにて合成が行われ、印刷版作成用データ４が完成される。【選択図】  図１
2011155472.tif 000002
【特許請求の範囲】
【請求項１】
被印刷体に印刷される印刷画像が形成された印刷版を作成するための印刷版作成用データ生成方法であって、
前記印刷画像に対応する印刷用データのうち、画像部と背景部とを区別する振り分けステップと、
前記画像部と前記背景部を構成する繰り返しパターンの表現形式をそれぞれ異ならせて個別に２値化する２値化処理ステップと、
前記個別に２値化された前記画像部と前記背景部の２値データを合成する合成ステップと
を含むことを特徴とする印刷版作成用データ生成方法。
【請求項２】
被印刷体に印刷される印刷画像が形成された印刷版を作成するための印刷版作成用データ生成装置であって、
前記印刷画像に対応する印刷用データのうち、画像部と背景部とを区別する振り分け手段と、
前記画像部と前記背景部を構成する繰り返しパターンの表現形式をそれぞれ異ならせて個別に２値化する２値化処理手段と、
前記個別に２値化された前記画像部と前記背景部の２値データを合成する合成手段と
を含むことを特徴とする印刷版作成用データ生成装置。
【発明の詳細な説明】
【技術分野】
【０００１】
本発明は、印刷版作成用データ生成方法及び装置に関するものであり、特に立体的視覚効果のある印刷物の印刷版作成用データに関するものである。
【背景技術】
【０００２】
立体感や揺らぎ感を呈するモアレ現象を利用した印刷物を得る手段として、特許文献１のようにレンズの役割をする凸状集光素を透明基板上に設置し、この凸状集光素を通して画像を立体的に見せる技術が知られている。この画像用の版を作成する際、立体効果を際立たせるために、画像部や背景部を構成する繰り返しパターンの線数（印刷の精度を表す尺度。１インチにどれだけの線が引けるかを表しており、線数が多い程きめ細かい表現が可能となる）や角度、形状を画像部と背景部とで変える場合がある。
【先行技術文献】
【特許文献】
【０００３】
【特許文献１】特開平１０−３５０８３号公報
【発明の概要】
【発明が解決しようとする課題】
【０００４】
線数や角度の異なる画像部と背景部とを作成する方法として、従来は、ＤＴＰソフトでそれぞれ線数や角度の異なる画像用・背景部用繰り返しパターンをつくり、この繰り返しパターンをコピー・貼付けしたり、塗りつぶし機能を使用したりしていた。しかしながら、これらの作業には時間かかり、作業が煩雑であるという問題があった。
【０００５】
本発明はこのような問題を解決するためになされたもので、その目的は、立体的視覚効果のある印刷物の印刷版作成用データを短時間でかつ容易に得ることができる方法及び装置を提供することである。
【課題を解決するための手段】
【０００６】
本発明は、被印刷体Ｐに印刷される印刷画像が形成された印刷版を作成するための印刷版作成用データ生成方法であって、前記印刷画像に対応する印刷用データ３のうち、画像部３ａと背景部３ｂとを区別する振り分けステップと、前記画像部３ａと前記背景部３ｂを構成する繰り返しパターンの表現形式をそれぞれ異ならせて個別に２値化する２値化処理ステップと、前記個別に２値化された前記画像部４ａと前記背景部４ｂの２値データを合成する合成ステップとを含むことを特徴とする。
また、本発明は、被印刷体Ｐに印刷される印刷画像が形成された印刷版を作成するための印刷版作成用データ生成装置であって、前記印刷画像に対応する印刷用データ３のうち、画像部３ａと背景部３ｂとを区別する振り分け手段２ａと、前記画像部３ａと前記背景部３ｂを構成する繰り返しパターンの表現形式をそれぞれ異ならせて個別に２値化する２値化処理手段２ｂ、２ｃと、前記個別に２値化された前記画像部４ａと前記背景部４ｂの２値データを合成する合成手段２ｄとを含むことを特徴とする。
【発明の効果】
【０００７】
本発明の印刷版作成用データ生成方法及び装置によれば、立体的視覚効果のある印刷物の印刷版作成用データを短時間でかつ容易に得ることが可能となる。
【図面の簡単な説明】
【０００８】
【図１】本発明に係る印刷版作成用データ生成装置の一例を示す概略構成図である。
【図２】本発明に係る印刷版作成用データ生成装置による印刷版で立体視覚効果のある印刷物を得る印刷機を示す概略側面図である。
【図３】転写フィルム２４の一部拡大図である。
【発明を実施するための形態】
【０００９】
次に本発明を実施するための形態について図面を参照して説明する。
【００１０】
図１は本発明に係る印刷版作成用データ生成装置の一例を示す概略構成図である。まず、ＤＴＰ処理用パソコン１にて印刷用データ３が作成される。作成された印刷用データ３は、２値化処理用パソコン２で処理されることとなるが、本実施例においては、本発明の主要構成要素は全て２値化処理用パソコン２に内蔵されている。
【００１１】
ＤＴＰ処理用パソコン１で作成された印刷用データ３は２値化処理用パソコン２の振り分け手段２ａにて、画像部３ａと背景部３ｂとに区別される。具体的には、作業者による画像部３ａと背景部３ｂとの色分け指定に基づいて、振り分けがされることとなる。
【００１２】
次に２値化処理用パソコン２の２値化処理手段２ｂ、２ｃにより、多値データである画像部３ａと背景部３ｂは、それぞれ繰り返しパターンによる２値データとしての画像部４ａ、背景部４ｂに処理される。繰り返しパターンとは例えば丸形状の網点であるが、四角形状等、任意のものが用いられる。このとき、２値化処理手段２ｂ、２ｃは各々異なる線数にて画像部、背景部を２値化処理する。本実施例においては、画像部３ａは１９０線で２値化処理が行われ、２値データの画像部４ａとなり、背景部３ｂは２１０線で２値化処理が行われ、２値データの背景部４ｂとなる。繰り返しパターンの形状は、画像部４ａ、背景部４ｂ共に丸形状が用いられるが、繰り返しパターンの形状を画像部と背景部とで異ならせてもよい。
【００１３】
２値データとなった画像部４ａ、背景部４ｂは、合成手段２ｄにて合成が行われ、印刷版作成用データ４が完成される。前述の通り、印刷版作成用データ４の画像部４ａと背景部４ｂとは線数が異なっている。このようにして印刷版作成用データ４が生成される。
【００１４】
次に、生成された印刷版作成用データ４で作成された印刷版を用いて立体的視覚効果のある印刷物を得る方法について説明する。
【００１５】
図２は表面処理装置を備えた印刷機の一例である。図１の概略側面図に示す通り、本実施例に係る印刷機は枚葉オフセット印刷機である。この印刷機は、紙積み台からフィーダ装置や用紙分離装置等により一枚ずつ印刷用紙としての枚葉紙Ｐを送り出すための給紙部Ａと、この給紙部Ａからの枚葉紙Ｐに印刷を行うための印刷部Ｂと、印刷された枚葉紙Ｐにニスコーティングをするニス塗布部Ｃと、枚葉紙Ｐ上のニス塗布面にレンズ状凹部を有する転写フィルムを押付けて紫外線照射し、ニス塗布面をレンズ状に形成する表面処理部Ｄと、枚葉紙Ｐを排紙するための排紙部Ｅとを備えている。ここで印刷部Ｂは、１色の印刷が行えるように１台の印刷ユニットを備えた印刷部Ｂとしているが、１色以外の色、つまり複数の印刷が行える印刷部であってもよい。又、前記排紙部Ｅは、グリッパを備えるチェーン搬送装置にて構成しているが、チェーン搬送装置に限らなくてもよい。又、印刷機を構成する各部の具体的な構成は図に示されるものに限定されるものではない。
【００１６】
前記印刷ユニットは、前述の版作成用データ４で作成された印刷版が巻回される版胴１１とゴム胴１２とインキローラ群１３、そして圧胴１４と渡し胴１５とを備えている。図示していないが、前記胴１４、１５のそれぞれには、送り出されてきた枚葉紙Ｐを爪台と爪とで把持するグリッパを円周方向の２箇所（１箇所又は３箇所以上でもよい）に備えている。符号１６は給紙胴であり、フィーダーボード１７上を搬送される枚葉紙Ｐを図示しないスイングアームから受け取り、圧胴１４に渡す役割を果たす。給紙胴１６、スイングアームにも前記の爪台と爪が設けられている。
【００１７】
ニス塗布部Ｃはニス版胴１８とニスゴム胴１９、ニス圧胴２０とを有し、搬送される枚葉紙Ｐに有色あるいは無色の透明なニスを塗布する。
【００１８】
表面処理部Ｄは、転写フィルム２４が巻き付けられるとともに送り出し可能な供給ロール２１と、この供給ロール２１から送り出された転写フィルム２４を圧胴２６上の枚葉紙Ｐに押付ける押圧ローラ２７、２８と、押付けられた転写フィルム２４を巻き取る巻き取りロール２２と、供給ロール２１と巻き取りロール２２との間に配置されたフィルム案内用ローラ群２３と、押圧ローラ２７、２８間の転写フィルム２４を照射して、転写フィルム２４越しに枚葉紙Ｐ上のニスを乾燥する紫外線照射部２５とを備えている。転写フィルム２４は図３のように、レンズ状の凹部２４ａを有している。
【００１９】
給紙部Ａから搬送される枚葉紙Ｐは印刷部Ｂで印刷され、ニス塗布部Ｃでニスが塗布される。表面処理部Ｄにて転写フィルム２４が枚葉紙Ｐに押付けられ、枚葉紙Ｐ上のニス塗布面が凹部２４ａに入り込み、紫外線照射部２５によりニス塗布面は硬化されて転写フィルム２４と同一形状となり、印刷面の上に透明なレンズ部として形成されることとなる。その後枚葉紙Ｐは転写フィルム２４から剥離されて完成された印刷物として排紙部Ｅに排紙される。
【００２０】
このように作成された印刷物は、画像部と背景部との線数が異なっており、これらを前述したレンズ部を通して見ることで、線数によるモアレの出方が変わった、大きな立体的視覚効果を有する印刷物となる。
【００２１】
尚、本発明は、前記実施形態に限定されるものではなく、本発明の要旨を逸脱しない範囲で種々の変更が可能である。例えば前述の実施例では、振り分け手段による画像部と背景部との区別は色分け指定によって行っていたが、これに限られるものではない。
また、２値化処理の際、画像部と背景部とを異なる線数にて処理していたが、角度や形状を異ならせてもよい。本発明における表現形式とは、繰り返しパターンの線数や角度、形状、サイズのことである。
また、前述の実施形態では、枚葉オフセット印刷機であったが、これに限定されず、インクジェット式印刷機やフレキソ印刷機のようなものであってもよい。
【産業上の利用可能性】
【００２２】
本発明に係る印刷版作成用データ生成方法及び装置は、立体的視覚効果のある印刷物の印刷版作成用データの生成において極めて有用である。
【符号の説明】
【００２３】
１  ＤＴＰ処理用パソコン          ２  ２値化処理用パソコン  
３  印刷用データ                  ４  印刷版作成用データ
２４  転写フィルム              ２４ａ  凹部
２５  紫外線照射部                  Ｃ  ニス塗布部
Ｄ  表面処理部
【図１】
2011155472.tif 000003
【図２】
2011155472.tif 000004
【図３】
2011155472.tif 000005